【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
患者の血圧を非侵襲的に測定するためのセンサを有する装置を制御する方法であって：
該センサを用いて、該患者の動脈の上にある組織に変動する圧力を非侵襲的に付与する工程；
該圧力を付与する工程の間に該センサで圧力パルスのシークエンスを非侵襲的に感知し、該圧力パルスが該動脈によって与えられる圧力および変動する圧力を含む工程；
感知される連続的な圧力パルスに対応する圧力波形のシークエンスを発生する工程；
該圧力波形の１つを、該組織を通って該動脈に付与される変動する圧力について補正し、補正された圧力波形を得る工程；
第１のパラメータに対する値を決定する工程であって、該第１のパラメータが該補正された圧力波形の時間特徴である、工程；
第２のパラメータに対する値を決定する工程であって、該第２のパラメータが該補正された圧力波形の振幅特徴である、工程；
第３のパラメータに対する値を決定する工程であって、該第３のパラメータが該シークエンスの特徴である、工程；
第４のパラメータに対する値を決定する工程であって、該第４のパラメータが、該圧力波形の１つの波形特徴である、工程；
第５のパラメータに対する値を決定する工程であって、該第５のパラメータが、該圧力波形の１つの振幅特徴である、工程；および
少なくとも該第１、第２、第３、第４および第５のパラメータ値から、収縮期、拡張期および平均血圧値を算出する工程、包含する、方法。
【請求項２】
前記シークエンス中の圧力波形の第１の圧力波形が最大の補正された最大圧力を有し、そして該シークエンス中の圧力波形の第２の圧力波形が該第１の圧力波形のすぐ後に続く請求項１に記載の方法であって：
前記収縮期血圧値を算出するために：
前記第１のパラメータが、前記補正された圧力波形の立ち上がり部分の所定の基準化された振幅部分に亘る基準化時間値であるか、または選択された基準化振幅値における該補正された圧力波形の幅に亘る基準化時間値であり；
前記第２のパラメータが、所定の基準化時間値における基準化振幅値であり；
前記第３のパラメータが、該シークエンス中の波形の個々の補正された圧力振幅に適合された曲線の最大であり；
前記第４のパラメータが、該第２の圧力波形の最大傾きであり；そして
前記第５のパラメータが、該第２の圧力波形の収縮点における圧力であるか、または該第１の圧力波形の平均心拍圧力であり；
前記拡張期血圧値を算出するために：
前記第１のパラメータが、前記補正された圧力波形の立ち上がり部分の所定の基準化された振幅部分に亘る基準化時間値であるか、または選択された基準化振幅値における該補正された圧力波形の幅に亘る基準化時間値であり；
前記第２のパラメータが、所定の基準化時間値における基準化振幅値であり；そして
前記第５のパラメータが、該第１の圧力波形の拡張点における圧力であるか、または該第２の圧力波形の拡張点における圧力であり；および
前記平均血圧値を算出するために：
前記第２のパラメータが、所定の基準化時間値における基準化振幅値であり；
前記第３のパラメータが、該シークエンス中の波形の個々の補正された圧力振幅に適合された曲線の最大であり；そして
前記第５のパラメータが、該第１の圧力波形の平均心拍圧力である、方法。
【請求項３】
患者の血圧を非侵襲的に測定するためのセンサを有する装置を制御する方法であって：
組織の表面でセンサを用いて該患者の動脈の上にある組織に圧縮圧力を非侵襲的に付与する工程；
脈動する圧力に応答して、該センサから第１の圧力パルス波形を非侵襲的に生成する工程；
該第１の圧力波形の経過時間特徴に関係する第１のパラメータに対する値を決定する工程；および
少なくとも該第１のパラメータ値から血圧値を算出する工程、包含する、方法。
【請求項４】
請求項３に記載の方法であって：
前記脈動する圧力に応答するさらなる圧力パルス波形を非侵襲的に発生し、第１の圧力波形とともに一連の圧力パルス波形を形成する工程；および
該一連の特徴に関係する第２のパラメータに対する値を決定する工程；をさらに包含し、
ここで、前記算出する工程が、少なくとも前記第１および該第２のパラメータ値から血圧値を算出することを包含する、方法。
【請求項５】
請求項３に記載の方法であって：
前記第１の圧力波形の振幅特徴に関係する第３のパラメータに対する値を決定する工程；をさらに包含し、
ここで、前記算出する工程が、少なくとも前記第１および該第３のパラメータ値から血圧値を算出することを包含する、方法。
【請求項６】
請求項４に記載の方法であって：
前記第１の圧力波形または前記一連の中の別の圧力波形の振幅特徴に関係する第３のパラメータに対する値を決定する工程をさらに包含し、
ここで、前記算出する工程が、少なくとも前記第１、第２および第３のパラメータ値から血圧値を算出することを包含する、方法。
【請求項７】
前記第１のパラメータが、前記第１の圧力波形の選択された立ち上がり部分の持続時間であるか、または選択された振幅値における第１の圧力波形の幅に対応する持続時間である、請求項３に記載の方法。
【請求項８】
前記第２のパラメータが、一連の波形の個々の特徴に適合された曲線の最大である、請求項４に記載の方法。
【請求項９】
前記第３のパラメータが、絶対圧力、基準化圧力または平均波形圧力である、請求項５に記載の方法。
【請求項１０】
請求項６に記載の方法であって：
前記第１のパラメータが、前記第１の圧力波形の選択された立ち上がり部分の持続時間であるか、または選択された振幅値における該第１の圧力波形の幅に対応する持続時間であり；
前記第２のパラメータが、一連の波形の個々の特徴に適合された曲線の最大であり；そして
前記第３のパラメータが、絶対圧力、基準化圧力または平均波形圧力である、方法。
【請求項１１】
前記圧力を付与する工程が、圧縮圧力を変動することを包含する、請求項４に記載の方法。
【請求項１２】
前記圧力を変動する工程が、連続的に増加する様式で前記圧縮圧力を変動することを包含する、請求項１１に記載の方法。
【請求項１３】
前記圧力を変動する工程が、連続的な様式で前記圧縮圧力を変動することを包含する、請求項１１に記載の方法。
【請求項１４】
前記第１のパラメータ値を決定する工程が、前記変動する圧縮圧力について前記第１の圧力波形を補正することを包含する、請求項１１に記載の方法。
【請求項１５】
前記第１のパラメータ値を決定する工程が、前記補正された第１の圧力波形の基準化時間および振幅軸を包含する、請求項１４に記載の方法。
【請求項１６】
前記圧力を付与する工程が、前記圧縮圧力を変動することを包含する請求項３に記載の方法であって、さらに：
前記脈動する圧力に応答して、前記第１の圧力波形に隣接する第２の圧力波形を非侵襲的に生成する工程であって、該第１および第２の圧力波形が個々の収縮点において個々の最大圧力を有し、該第１の圧力波形の圧力最大が、該第２の圧力波形の圧力最大よりも大きく、そして該変動する圧縮圧力が、該第１の圧力波形に対してよりも、該第２の圧力波形に対して大きい工程；および
第４のパラメータに対する値を決定する工程であって、該第４のパラメータが、該第１の圧力波形または第２の圧力波形の振幅特徴である工程；を包含し、
ここで、前記第１のパラメータ値を決定する工程が、
該第１の圧力波形および第２の圧力波形の少なくとも１つを、該変動する圧縮圧力について補正することを包含し；そして
ここで、前記算出する工程が、少なくとも前記第１のパラメータ値および第４のパラメータ値から血圧値を算出することを包含する、方法。 
【請求項１７】
患者の血圧を非侵襲的に決定する装置であって：
患者の動脈の上にある組織に変動する圧力を非侵襲的に付与するための手段；
圧力付与工程の間に該組織の表面で圧力パルスのシークエンスを非侵襲的に感知する手段であって、該圧力パルスが該動脈によって与えられる圧力および該変動する圧力を含む、手段；
該感知された連続的圧力パルスに対応する圧力波形のシークエンスを生成する手段；
該変動する圧力に対して該波形の選択された１つを補正し、補正された圧力波形を得るための手段；
第１のパラメータに対する値を決定する手段であって、該第１のパラメータが該補正された波形の時間特徴である手段；
第２のパラメータに対する値を決定する手段であって、該第２のパラメータが該補正された波形の振幅特徴である手段；
第３のパラメータに対する値を決定する手段であって、該第３のパラメータが該圧力波形のシークエンスの特徴である手段；
第４のパラメータに対する値を決定する手段であって、該第４のパラメータが該圧力波形の１つの波形特徴である手段；
第５のパラメータに対する値を決定する手段であって、該第５のパラメータが該圧力波形の１つの振幅特徴である手段；および
少なくとも第１、第２、第３、第４および第５のパラメータ値から血圧値を算出する手段、を備える、装置。
【請求項１８】
前記圧力波形のシークエンスから、最大の補正された最大圧力を有する前記圧力波形の第１の圧力波形を選択するための手段をさらに備え、ここで、該シークエンス中の圧力波形の第２の圧力波形が、該第１の圧力波形のすぐあとに続く、請求項１７に記載の装置。
【請求項１９】
前記血圧算出手段が：
収縮期血圧値を算出するための手段であって、ここで：
前記第１のパラメータが、前記補正された圧力波形の立ち上がり部分の所定の基準化振幅部分に亘る基準化時間値であるか、または選択された基準化振幅値で該補正された圧力波形の幅に亘る基準化時間値であり；
前記第２のパラメータが、所定の時間値での基準化振幅値であり；
前記第３のパラメータが、前記シークエンス中の波形の個々の補正された圧力振幅に適合された曲線の最大であり；
前記第４のパラメータが前記第２の圧力波形の最大傾きであり；そして
前記第５のパラメータが前記第２の圧力波の収縮点にける圧力であるか、または前記第１の圧力波形の平均心拍圧力である；
拡張期血圧値を算出するための手段であって、ここで：
前記第１のパラメータが、補正された圧力波形の立ち上がり部分の所定の基準化振幅部分に亘る基準化時間値であるか、または選択された基準化振幅値で補正された圧力波形の幅に亘る基準化時間値であり；
前記第２のパラメータが、所定の基準化時間値での基準化振幅値であり；
前記第５のパラメータが、前記第１の圧力波の拡張点にける圧力であるか、または前記第２の圧力波形の拡張点における圧力である；および
平均血圧値を算出するための手段であって、ここで：
前記第２のパラメータが、所定の基準化時間値での基準化振幅値であり；
前記第３のパラメータが、前記シークエンス中の波形の個々の補正された圧力振幅に適合された曲線の最大であり；そして
前記第５のパラメータが該第１の圧力波の平均心拍圧力である、を備える、請求項１７に記載の装置。
【請求項２０】
患者の動脈の上にある組織を通じて患者の血圧を非侵襲的に測定するための装置であって：
組織の表面から該組織に圧縮圧力を非侵襲的に付与するための手段であって、ここで、動脈中の血液の圧力により影響される脈動圧力が該表面で存在する手段；
圧力パルス波形のシークエンスを非侵襲的に生成するための該脈動圧力に応答性の手段；
血圧に関数的に関連する複数のパラメータについて個々の値を確立するための手段であって、ここで：
該パラメータの第１のパラメータに対する値が、圧縮圧力に対して補正されたシークエンス中の圧力パルス波形の１つの時間特徴から確立され；
該パラメータの第２のパラメータに対する値が、該シークエンス中の圧力パルス波形の１つの、または該圧縮圧力に対して補正されたシークエンス中の圧力パルス波形の１つの、または該シークエンスの派生した特徴の振幅特徴から確立され；そして
該パラメータの第３のパラメータに対する値が、該シークエンス中の圧力パルス波形の１つの、または該シークエンスの派生した特徴の形状特徴から確立され；および
該パラメータ値から血圧に対する値を算出する手段、を備える、装置。
【請求項２１】
患者の動脈の上にある組織を通じて患者の血圧を非侵襲的に測定するための装置であって：
組織の表面から該組織に圧縮圧力を非侵襲的に付与する手段であって、ここで、動脈中の血液の圧力によって影響される脈動圧力が該表面上に存在し；
圧力パルス波形のシークエンスを非侵襲的に生成するための該脈動圧力に応答性の手段；
血圧に関数的に関連する複数のパラメータについて個々の値を確立するための手段であって、ここで：
該パラメータの第１のパラメータに対する値が、シークエンス中の圧力パルス波形の１つの、または圧縮圧力について補正された該シークエンス中の圧力パルス波形の１つの、または該シークエンスから派生した特徴の時間、振幅、または形状特徴から確立される手段；を備え、
該パラメータの第２のパラメータに対する値が、該シークエンス中の圧力パルス波形の１つの、または該圧縮圧力に対して補正されたシークエンス中の圧力パルス波形の１つの、または該シークエンスの派生した特徴の時間、振幅、または形状特徴から確立され；そして
第１のパラメータが確立された特徴が第２のパラメータが確立された特徴とは異なり；そしてこれらパラメータ値から血圧値を算出する、装置。
【請求項２２】
患者の血圧を非侵襲的に測定するための装置であって：
患者の動脈の上にある組織に圧縮圧力を非侵襲的に付与するための手段であって、ここで、脈動圧力が該組織の表面で存在する、手段；
第１の圧力パルス波形を非侵襲的に生成するために該脈動圧力に応答性の手段；
該第１の圧力パルス波形の経過時間特徴に関連する第１のパラメータに対する値を決定するための手段：および
少なくとも該第１パラメータ値から血圧値を算出するための手段、を備える、装置。
【請求項２３】
さらなる圧力パルス波形を非侵襲的に生成するために前記脈動圧力に応答性の手段であって、前記第１の圧力波形とともに一連の圧力パルス波形を形成する手段；および
該一連の波形の特徴に関する第２のパラメータに対する値を決定するための手段をさらに備え；
ここで、前記算出手段が、少なくとも前記第１のパラメータおよび該第２のパラメータ値から血圧値を算出する手段を備える、請求項２２に記載の装置。
【請求項２４】
前記第１の圧力パルス波形の振幅特徴に関する第３のパラメータに対する値を決定するための手段をさらに備え、ここで、前記算出手段が、少なくとも前記第１のパラメータおよび該第３のパラメータ値から血圧値を算出する手段を備える、請求項２２に記載の装置。
【請求項２５】
前記第１の圧力パルス波形または前記一連の波形の別の圧力パルス波形の振幅特徴に関する第３のパラメータに対する値を決定するための手段をさらに備え、ここで、前記算出手段が、少なくとも前記第１、第２および第３のパラメータ値から血圧値を算出する手段を備える、請求項２４に記載の装置。
【請求項２６】
前記第１のパラメータが、前記第１の圧力パルス波形の選択された立ち上がり部分の持続時間、または振幅の選択されたレベルにおける前記第１の圧力パルス波形の幅に対応する持続時間である、請求項２２に記載の装置。
【請求項２７】
前記第２のパラメータが、前記一連の波形の個々の特徴に適合された曲線の最大である、請求項２３に記載の装置。
【請求項２８】
前記第３のパラメータが、絶対圧力、基準化圧力、または平均波形圧力である、請求項２４に記載の装置。
【請求項２９】
前記第１のパラメータが、前記第１の圧力パルス波形の選択された立ち上がり部分の持続時間、または振幅の選択されたレベルにおける前記第１の圧力パルス波形の幅に対応する持続時間であり；
前記第２のパラメータが、前記一連の波形の個々の特徴に適合された曲線の最大であり；および
前記第３のパラメータが、絶対圧力、基準化圧力、または平均波形圧力である、請求項２５に記載の装置。
【請求項３０】
前記付与する手段が、前記圧縮圧力を変動するための手段を備える、請求項２３に記載の装置。
【請求項３１】
前記変動する手段が、前記圧縮圧力を連続的に増加するための手段を備える、請求項３０に記載の装置。
【請求項３２】
前記変動する手段が、前記圧縮圧力を連続的に変動するための手段を備える、請求項３０に記載の装置。
【請求項３３】
前記第１のパラメータ値を決定する手段が、前記変動する圧縮圧力について前記第１の圧力パルス波形を補正するための手段を備える、請求項３０に記載の装置。
【請求項３４】
前記補正手段が、前記補正された第１の圧力パルス波形の基準化時間および振幅軸を基準化するための手段をさらに備える、請求項３３に記載の装置。
【請求項３５】
前記付与手段が、前記圧縮圧力を変動するための手段を備える請求項２２に記載の装置であって：
前記第１の圧力パルス波形に隣接する第２の圧力パルス波形を非侵襲的に生成するために前記脈動する圧力に応答性の手段であって、該第１および第２の圧力パルス波形が、個々の収縮点において個々の最大圧力を有し、該第１の圧力パルス波形の圧力最大が該第２の圧力パルス波形の圧力最大より大きく、そして前記変動する圧縮圧力が、該第１の圧力パルス波形に対してより、該第２の圧力パルス波形に対してより大きい手段；および
第４のパラメータの値を決定する手段であって、該第４のパラメータが、該第１の圧力パルス波形または該第２の圧力パルス波形の振幅特徴である手段をさらに備え、
ここで、該第１のパラメータ値決定手段が、該第１の圧力パルス波形および第２の圧力パルス波形の少なくとも１つを該変動する圧縮圧力について補正し；そして
ここで、前記算出手段が、少なくとも該第１パラメータ値および第４のパラメータ値から血圧を算出するための手段を備える、請求項２２に記載の装置。
【請求項３６】
患者の血圧を非侵襲的に測定するための装置であって：
患者の動脈の上にある組織に圧縮圧力を非侵襲的に付与するための手段であって、ここで、脈動する圧力が該組織の表面で存在する、手段；
一連の圧力パルス波形を非侵襲的に生成するために該脈動する圧力に応答性の手段；および
該一連の波長の特徴に関連する第１のパラメータに対する値を決定するための手段を備え、
ここで、前記算出手段が、少なくとも該第１のパラメータおよび第２のパラメータ値から血圧値を算出するための手段を備える、装置。
【請求項３７】
前記圧力パルス波形の１つの振幅特徴に関連する第２のパラメータに対する値を決定するための手段をさらに備え、
ここで、前記算出手段が、少なくとも前記第１のパラメータ値および第２のパラメータ値から血圧値を算出するための手段を備える、請求項３６に記載の装置。
【請求項３８】
前記圧力パルス波形の１つの経過時間特徴に関連する第３のパラメータに対する値を決定する手段をさらに備え、
ここで、前記算出手段が、少なくとも前記第１のパラメータ値および該第３のパラメータ値から血圧値を算出するための手段を備える、請求項３６に記載の装置。
【請求項３９】
前記圧力パルス波形の１つの振幅特徴に関連する第２のパラメータに対する値を決定するための手段；および
前記圧力パルス波形の１つの経過時間特徴に関連する第３のパラメータに対する値を決定する手段をさらに備え、
ここで、前記算出手段が、少なくとも前記第１、第２および第３のパラメータ値から血圧値を算出するための手段を備える、請求項３６に記載の装置。
【請求項４０】
患者の血圧を非侵襲的に測定するための装置であって：
患者の動脈の上にある組織に掃引圧縮圧力を非侵襲的に付与するための手段であって、ここで、脈動する圧力が該組織の表面で存在する手段；
該脈動する圧力を非侵襲的に感知するための手段であって、該脈動する圧力に対応する圧力パルス波形のシークエンスを生成する手段；
該掃引圧縮圧力について該波形の選択された１つを補正するための手段であって、補正された圧力パルス波形を得る手段；
第１のパラメータに対する値を決定するための手段であって、該第１のパラメータが該補正された圧力パルス波形の時間特徴である手段；
第２のパラメータに対する値を決定するための手段であって、該第２のパラメータが該補正された圧力パルス波形の振幅特徴である手段；
第３のパラメータに対する値を決定するための手段であって、該第３のパラメータが該圧力パルス波形のシークエンスの特徴である手段；
第４のパラメータに対する値を決定するための手段であって、該第４のパラメータが該圧力パルス波形の１つの形状特徴である手段；
第５のパラメータに対する値を決定するための手段であって、該第５のパラメータが該圧力パルス波形の１つの振幅特徴である手段；および
少なくとも前記第１、第２、第３、第４および第５のパラメータ値から血圧値を算出するための手段を備える、装置。
【請求項４１】
前記圧力パルス波形のシークエンスから、最大の補正された最大圧力を有する圧力パルス波形を選択するための手段をさらに備え、前記第４のパラメータ値を決定する手段、および前記第５のパラメータ値を決定する手段が前記選択された圧力パルス波形に応答性である、請求項４０に記載の装置。
【請求項４２】
前記血圧算出手段が：
収縮期血圧値を算出する手段であって、ここで：
前記第１のパラメータが、補正された圧力パルス波形の立ち上がり部分の所定の基準化振幅部分に亘る基準化時間値であるか、または選択された基準化振幅値で補正された圧力パルス波形の幅に亘る基準化時間値であり；
前記第２のパラメータが、所定の時間値での基準化振幅値であり；
前記第３のパラメータが、前記第１、第２および第３の圧力パルス波形を含む、前記シークエンス中の波形の個々の補正された圧力振幅に適合された曲線の最大であり；
前記第４のパラメータが前記第３の圧力パルス波形の最大傾きであり；そして
前記第５のパラメータが前記第３の圧力パルス波形の収縮点にける圧力であるか、または前記第１の圧力パルス波形の平均心拍圧力である；
拡張期血圧値を算出するための手段であって、ここで：
前記第１のパラメータが、補正された圧力パルス波形の立ち上がり部分の所定の基準化振幅部分に亘る基準化時間値であるか、または選択された基準化振幅値で該補正された圧力波形の幅に亘る基準化時間値であり；
前記第２のパラメータが、所定の基準化時間値での基準化振幅値であり；
前記第５のパラメータが前記第１の圧力パルス波の拡張点にける圧力であるか、または前記第３の圧力パルス波形の拡張点における圧力である；および
平均血圧値を算出するための手段であって、ここで：
前記第２のパラメータが、所定の基準化時間値での基準化振幅値であり；
前記第３のパラメータが、該第１、第２および第３の圧力パルス波形を含む前記シークエンス中の波形の個々の補正された圧力振幅に適合された曲線の最大であり；そして
前記第５のパラメータが該第１の圧力パルス波形の平均心拍圧力である、を備える、請求項４０に記載の装置。